【手続補正書】
【提出日】平成20年4月1日(2008.4.1)
【手続補正１】
【補正対象書類名】明細書
【補正対象項目名】特許請求の範囲
【補正方法】変更
【補正の内容】
【特許請求の範囲】
【請求項１】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り手段と、
記録内容の複写・改ざん防止機能を備えた記録媒体であって、前記第１の記録媒体に記録されたソフトウェアにおいてブロック毎に施された処理制限の、解除に必要な処理許可情報を記録する第２の記録媒体から、前記処理許可情報を取得する媒体許可情報取得手段と、
前記ソフトウェア読み取り手段が前記第１の記録媒体から取得したソフトウェアにおいてブロック毎に施された処理制限を、前記媒体許可情報取得手段を介して前記第２の記録媒体から取得した前記処理許可情報を用いて解除する処理制限解除手段と、
を設けたことを特徴とするソフトウェア処理装置。
【請求項２】  前記処理制限解除手段が、前記ソフトウェア読み取り手段が前記第１の記録媒体から取得したソフトウェアにおいてブロック毎に施された処理制限を、前記第２の記録媒体から取得した前記処理許可情報を用いて解除した場合、課金のための利用情報を記録する利用情報記録手段と、
通信網を介してソフトウェア管理者が運営するサーバへ前記利用情報記録手段の記録した利用情報を送信する利用情報送信手段と、
を設けたことを特徴とする請求項１に記載のソフトウェア処理装置。
【請求項３】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り手段と、
前記第１の記録媒体に記録されたソフトウェアにおいてブロック毎に施された処理制限の、解除に必要な処理許可情報を、通信網を介してソフトウェア管理者が運営するサーバから取得するサーバ許可情報取得手段と、
前記ソフトウェア読み取り手段が前記第１の記録媒体から取得したソフトウェアにおいてブロック毎に施された処理制限を、前記サーバ許可情報取得手段を介して前記サーバから取得した前記処理許可情報を用いて解除する処理制限解除手段と、
を設けたことを特徴とするソフトウェア処理装置。
【請求項４】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り手段と、
記録内容の複写・改ざん防止機能を備えた記録媒体であって、前記第１の記録媒体に記録されたソフトウェアにおいてブロック毎に施された処理制限の、解除に必要な処理許可情報を記録する第２の記録媒体から、前記処理許可情報を取得する媒体許可情報取得手段と、
前記ソフトウェア読み取り手段が前記第１の記録媒体から取得したソフトウェアにおいてブロック毎に施された処理制限を、前記媒体許可情報取得手段を介して前記第２の記録媒体から取得した前記処理許可情報を用いて解除する処理制限解除手段と、
前記ソフトウェア読み取り手段が前記第１の記録媒体から取得したソフトウェアにおいてブロック毎に施された処理制限を、前記媒体許可情報取得手段を介して前記第２の記録媒体から取得した前記処理許可情報を用いて解除できなかった場合、前記処理許可情報を、通信網を介してソフトウェア管理者が運営するサーバから取得して前記処理制限解除手段へ設定する代替サーバ許可情報取得手段と、
を設けたことを特徴とするソフトウェア処理装置。
【請求項５】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り手段と、
前記第１の記録媒体に記録されたソフトウェアにおいてブロック毎に施された処理制限の、解除に必要な処理許可情報を、通信網を介してソフトウェア管理者が運営するサーバから取得するサーバ許可情報取得手段と、
前記サーバ許可情報取得手段を介して前記サーバから前記処理許可情報を取得できなかった場合、前記処理許可情報を、記録内容の複写・改ざん防止機能を備えた第２の記録媒体から取得する代替媒体許可情報取得手段と、
前記ソフトウェア読み取り手段が前記第１の記録媒体から取得したソフトウェアにおいてブロック毎に施された処理制限を、前記サーバ許可情報取得手段を介して前記サーバから取得した前記処理許可情報か、または前記代替媒体許可情報取得手段を介して前記第２の記録媒体から取得した前記処理許可情報を用いて解除する処理制限解除手段と、
を設けたことを特徴とするソフトウェア処理装置。
【請求項６】  前記処理制限解除手段が、前記ソフトウェア読み取り手段が前記第１の記録媒体から取得したソフトウェアにおいてブロック毎に施された処理制限を、前記代替媒体許可情報取得手段を介して前記第２の記録媒体から取得した前記処理許可情報を用いて解除した場合、課金のための利用情報を記録する利用情報記録手段と、
前記サーバ許可情報取得手段を介して前記サーバと通信可能な場合、前記利用情報記録手段の記録した利用情報を前記サーバへ送信し、利用料金の精算処理を行う精算手段と、
を設けたことを特徴とする請求項５に記載のソフトウェア処理装置。
【請求項７】  前記サーバ許可情報取得手段、または前記代替サーバ許可情報取得手段は、
前記通信網を介して前記サーバに常時接続され、
前記処理制限解除手段は、前記ソフトウェア読み取り手段が前記第１の記録媒体から取得したソフトウェアにおいてブロック毎に施された処理制限を、常に前記サーバ上の処理許可情報を利用して解除する
ことを特徴とする請求項３から請求項６のいずれかに記載のソフトウェア処理装置。
【請求項８】  前記ソフトウェア読み取り手段が前記第１の記録媒体から取得し、処理制限が解除されたソフトウェアの利用記録を、前記第２の記録媒体に記録する
ことを特徴とする請求項１から請求項７のいずれかに記載のソフトウェア処理装置。
【請求項９】  情報を利用する正当な権利を有する利用権者の識別情報に関連づけた第３の記録媒体から、記録内容を取得する利用権者情報取得手段を設け、
前記処理制限解除手段は、前記ソフトウェア読み取り手段が前記第１の記録媒体から取得したソフトウェアにおいてブロック毎に施された処理制限を、前記処理許可情報と前記利用権者の識別情報を用いて解除する
ことを特徴とする請求項１から請求項８のいずれかに記載のソフトウェア処理装置。
【請求項１０】  前記第１の記録媒体から取得したソフトウェアの複数のブロックの中で、少なくとも１つのブロックは処理制限されない状態にある
ことを特徴とする請求項１から請求項９のいずれかに記載のソフトウェア処理装置。
【請求項１１】  前記処理制限解除手段は、
ソフトウェアの実行中、ソフトウェアの進行に伴って異なる処理許可情報を逐次取得し、
前記ソフトウェア読み取り手段が前記第１の記録媒体から取得したソフトウェアにおいてブロック毎に施された処理制限を解除する
ことを特徴とする請求項１から請求項１０のいずれかに記載のソフトウェア処理装置。
【請求項１２】  前記ソフトウェアは、遊技用コンピュータ・プログラムであり、
前記ソフトウェア読み取り手段が取得したソフトウェアの複数のブロックは、前記遊技用コンピュータ・プログラムの情報利用者に対する難易度により区別される
ことを特徴とする請求項１から請求項１１のいずれかに記載のソフトウェア処理装置。
【請求項１３】  前記ソフトウェアは、遊技用コンピュータ・プログラムや、ディジタル情報化された映像や音声のコンテンツであり、
前記ソフトウェア読み取り手段が取得したソフトウェアの複数のブロックは、前記遊技用コンピュータ・プログラム、または前記コンテンツの処理可能時間により区別される
ことを特徴とする請求項１から請求項１１のいずれかに記載のソフトウェア処理装置。
【請求項１４】  前記ソフトウェアは、アプリケーションソフトであり、
前記ソフトウェア読み取り手段が取得したソフトウェアの複数のブロックは、前記アプリケーションソフトの機能により区別される
ことを特徴とする請求項１から請求項１１のいずれかに記載のソフトウェア処理装置。
【請求項１５】  前記ソフトウェアは、ディジタル情報化された映像や音声のコンテンツであり、
前記ソフトウェア読み取り手段が取得したソフトウェアの複数のブロックは、前記コンテンツの画質、または音質により区別される
ことを特徴とする請求項１から請求項１１のいずれかに記載のソフトウェア処理装置。
【請求項１６】  前記ソフトウェアは、キャラクタ画像を含むソフトウェアであり、
前記ソフトウェア読み取り手段が取得したソフトウェアの複数のブロックは、前記ソフトウェアに含まれるキャラクタ画像の付加価値により区別される
ことを特徴とする請求項１から請求項１１のいずれかに記載のソフトウェア処理装置。
【請求項１７】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り処理と、
記録内容の複写・改ざん防止機能を備えた記録媒体であって、前記第１の記録媒体に記録されたソフトウェアにおいてブロック毎に施された処理制限の、解除に必要な処理許可情報を記録する第２の記録媒体から、前記処理許可情報を取得する媒体許可情報取得処理と、
前記ソフトウェア読み取り処理が前記第１の記録媒体から取得したソフトウェアにおいてブロック毎に施された処理制限を、前記媒体許可情報取得処理を介して前記第２の記録媒体から取得した前記処理許可情報を用いて解除する処理制限解除処理と、
を含むことを特徴とするソフトウェア処理方法。
【請求項１８】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り処理と、
前記第１の記録媒体に記録されたソフトウェアにおいてブロック毎に施された処理制限の、解除に必要な処理許可情報を、通信網を介してソフトウェア管理者が運営するサーバから取得するサーバ許可情報取得処理と、
前記ソフトウェア読み取り処理が前記第１の記録媒体から取得したソフトウェアにおいてブロック毎に施された処理制限を、前記サーバ許可情報取得処理を介して前記サーバから取得した前記処理許可情報を用いて解除する処理制限解除処理と、
を含むことを特徴とするソフトウェア処理方法。
【請求項１９】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り処理と、
記録内容の複写・改ざん防止機能を備えた記録媒体であって、前記第１の記録媒体に記録されたソフトウェアにおいてブロック毎に施された処理制限の、解除に必要な処理許可情報を記録する第２の記録媒体から、前記処理許可情報を取得する媒体許可情報取得処理と、
前記ソフトウェア読み取り処理が前記第１の記録媒体から取得したソフトウェアにおいてブロック毎に施された処理制限を、前記媒体許可情報取得処理を介して前記第２の記録媒体から取得した前記処理許可情報を用いて解除する処理制限解除処理と、
前記ソフトウェア読み取り処理が前記第１の記録媒体から取得したソフトウェアにおいてブロック毎に施された処理制限を、前記媒体許可情報取得処理を介して前記第２の記録媒体から取得した前記処理許可情報を用いて解除できなかった場合、前記処理許可情報を、通信網を介してソフトウェア管理者が運営するサーバから取得して前記処理制限解除処理へ設定する代替サーバ許可情報取得処理と、
を含むことを特徴とするソフトウェア処理方法。
【請求項２０】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り処理と、
前記第１の記録媒体に記録されたソフトウェアにおいてブロック毎に施された処理制限の、解除に必要な処理許可情報を、通信網を介してソフトウェア管理者が運営するサーバから取得するサーバ許可情報取得処理と、
前記サーバ許可情報取得処理を介して前記サーバから前記処理許可情報を取得できなかった場合、前記処理許可情報を、記録内容の複写・改ざん防止機能を備えた第２の記録媒体から取得する代替媒体許可情報取得処理と、
前記ソフトウェア読み取り処理が前記第１の記録媒体から取得したソフトウェアにおいてブロック毎に施された処理制限を、前記サーバ許可情報取得処理を介して前記サーバから取得した前記処理許可情報か、または前記代替媒体許可情報取得処理を介して前記第２の記録媒体から取得した前記処理許可情報を用いて解除する処理制限解除処理と、
を含むことを特徴とするソフトウェア処理方法。
【請求項２１】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り手段と、
記録内容の複写・改ざん防止機能を備えた記録媒体であって、前記第１の記録媒体に記録されたソフトウェアにおいてブロック毎に施された処理制限の、解除に必要な処理許可情報を記録する第２の記録媒体から、前記処理許可情報を取得する媒体許可情報取得手段と、
を備えた装置のソフトウェア処理をコンピュータに実行させるためのプログラムであって、
前記ソフトウェア読み取り手段が前記第１の記録媒体から取得したソフトウェアにおいてブロック毎に施された処理制限を、前記媒体許可情報取得手段を介して前記第２の記録媒体から取得した前記処理許可情報を用いて解除する処理制限解除処理、
をコンピュータに実行させるプログラム。
【請求項２２】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り手段と、
前記第１の記録媒体に記録されたソフトウェアにおいてブロック毎に施された処理制限の、解除に必要な処理許可情報を、通信網を介してソフトウェア管理者が運営するサーバから取得するサーバ許可情報取得手段と、
を備えた装置のソフトウェア処理をコンピュータに実行させるためのプログラムであって、
前記ソフトウェア読み取り手段が前記第１の記録媒体から取得したソフトウェアにおいてブロック毎に施された処理制限を、前記サーバ許可情報取得手段を介して前記サーバから取得した前記処理許可情報を用いて解除する処理制限解除処理
をコンピュータに実行させるプログラム。
【請求項２３】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り手段と、
記録内容の複写・改ざん防止機能を備えた記録媒体であって、前記第１の記録媒体に記録されたソフトウェアにおいてブロック毎に施された処理制限の、解除に必要な処理許可情報を記録する第２の記録媒体から、前記処理許可情報を取得する媒体許可情報取得手段と、
を備えた装置のソフトウェア処理をコンピュータに実行させるためのプログラムであって、
前記ソフトウェア読み取り手段が前記第１の記録媒体から取得したソフトウェアにおいてブロック毎に施された処理制限を、前記媒体許可情報取得手段を介して前記第２の記録媒体から取得した前記処理許可情報を用いて解除する処理制限解除処理と、
前記ソフトウェア読み取り手段が前記第１の記録媒体から取得したソフトウェアにおいてブロック毎に施された処理制限を、前記媒体許可情報取得手段を介して前記第２の記録媒体から取得した前記処理許可情報を用いて解除できなかった場合、前記処理許可情報を、通信網を介してソフトウェア管理者が運営するサーバから取得して前記処理制限解除処理へ設定する代替サーバ許可情報取得処理と、
をコンピュータに実行させるプログラム。
【請求項２４】  複数のブロックに区別され、それぞれのブロックに対して処理制限が施されたコンピュータ・プログラムやディジタル情報化されたコンテンツを含むソフトウェアを記録した第１の記録媒体から、前記ソフトウェアを取得するソフトウェア読み取り手段と、
前記第１の記録媒体に記録されたソフトウェアにおいてブロック毎に施された処理制限の、解除に必要な処理許可情報を、通信網を介してソフトウェア管理者が運営するサーバから取得するサーバ許可情報取得手段と、
を備えた装置のソフトウェア処理をコンピュータに実行させるためのプログラムであって、
前記サーバ許可情報取得手段を介して前記サーバから前記処理許可情報を取得できなかった場合、前記処理許可情報を、記録内容の複写・改ざん防止機能を備えた第２の記録媒体から取得する代替媒体許可情報取得処理と、
前記ソフトウェア読み取り手段が前記第１の記録媒体から取得したソフトウェアにおいてブロック毎に施された処理制限を、前記サーバ許可情報取得手段を介して前記サーバから取得した前記処理許可情報か、または前記代替媒体許可情報取得処理を介して前記第２の記録媒体から取得した前記処理許可情報を用いて解除する処理制限解除処理と、
をコンピュータに実行させるプログラム。
【手続補正２】
【補正対象書類名】明細書
【補正対象項目名】０００７
【補正方法】変更
【補正の内容】
【０００７】
請求項３に記載の発明は、ソフトウェア処理装置において、複数のブロックに区別され、それぞれのブロックに対して処理制限が施されたコンピュータ・プログラムやディジタル情報化されたコンテンツを含むソフトウェアを記録した第１の記録媒体（例えば実施の形態のソフトウェア媒体２）から、ソフトウェアを取得するソフトウェア読み取り手段（例えば実施の形態のソフトウェア媒体インタフェース１２）と、第１の記録媒体に記録されたソフトウェアにおいてブロック毎に施された処理制限の、解除に必要な処理許可情報を、通信網を介してソフトウェア管理者が運営するサーバから取得するサーバ許可情報取得手段（例えば実施の形態の通信網インタフェース１４）と、ソフトウェア読み取り手段が第１の記録媒体から取得したソフトウェアにおいてブロック毎に施された処理制限を、サーバ許可情報取得手段を介してサーバから取得した処理許可情報を用いて解除する処理制限解除手段（例えば実施の形態のプロテクト解除部１０１）とを設けたことを特徴とする。
以上の構成により、請求項１に記載のソフトウェア処理装置と同様に、サーバから取得する処理許可情報を情報提供者の不利益にならないような価格にて情報利用者に販売することで、情報提供者の利益と情報利用者の利便性を保証する。
更に、ソフトウェアの権利を守る側のサーバに処理許可情報を保持することで、処理許可情報が盗まれ、ソフトウェアが不正にコピーして利用されることを防止できる。
また、通信網を介して、簡単に情報利用者がソフトウェアの処理許可情報を入手できるという、情報利用者の利便性を拡大する。
【手続補正３】
【補正対象書類名】明細書
【補正対象項目名】０００９
【補正方法】変更
【補正の内容】
【０００９】
請求項５に記載の発明は、ソフトウェア処理装置において、複数のブロックに区別され、それぞれのブロックに対して処理制限が施されたコンピュータ・プログラムやディジタル情報化されたコンテンツを含むソフトウェアを記録した第１の記録媒体（例えば実施の形態のソフトウェア媒体２）から、ソフトウェアを取得するソフトウェア読み取り手段（例えば実施の形態のソフトウェア媒体インタフェース１２）と、第１の記録媒体に記録されたソフトウェアにおいてブロック毎に施された処理制限の、解除に必要な処理許可情報を、通信網を介してソフトウェア管理者が運営するサーバから取得するサーバ許可情報取得手段（例えば実施の形態の通信網インタフェース１４）と、サーバ許可情報取得手段を介してサーバから処理許可情報を取得できなかった場合、処理許可情報を、記録内容の複写・改ざん防止機能を備えた第２の記録媒体（例えば実施の形態のメモリカード３）から取得する代替媒体許可情報取得手段（例えば実施の形態のステップＳ１３）と、ソフトウェア読み取り手段が第１の記録媒体から取得したソフトウェアにおいてブロック毎に施された処理制限を、サーバ許可情報取得手段を介してサーバから取得した処理許可情報か、または代替媒体許可情報取得手段を介して第２の記録媒体から取得した処理許可情報を用いて解除する処理制限解除手段（例えば実施の形態のプロテクト解除部１０１）とを設けたことを特徴とする。
以上の構成により、例えば通信網にトラブルがあって、処理許可情報を取得できない場合、予めプリペイド方式により料金を徴収した第２の記録媒体、あるいは利用権者であることを証明する第２の記録媒体を用いてソフトウェアを利用することを可能とする。
【手続補正４】
【補正対象書類名】明細書
【補正対象項目名】００１３
【補正方法】変更
【補正の内容】
【００１３】
請求項９に記載の発明は、請求項１から請求項８のいずれかに記載のソフトウェア処理装置において、情報を利用する正当な権利を有する利用権者の識別情報に関連づけた第３の記録媒体から、記録内容を取得する利用権者情報取得手段を設け、処理制限解除手段は、ソフトウェア読み取り手段が第１の記録媒体から取得したソフトウェアにおいてブロック毎に施された処理制限を、処理許可情報と利用権者の識別情報を用いて解除することを特徴とする。
以上の構成により、利用権者の識別情報さえ分かれば、権利管理処理（例えば課金処理等）を実行することができるので、ソフトウェア処理装置を限定する必要がなく、情報利用者は、どのソフトウェア処理装置でソフトウェアを利用しても良い。
【手続補正５】
【補正対象書類名】明細書
【補正対象項目名】００２２
【補正方法】変更
【補正の内容】
【００２２】
請求項１８に記載の発明は、ソフトウェア処理方法において、複数のブロックに区別され、それぞれのブロックに対して処理制限が施されたコンピュータ・プログラムやディジタル情報化されたコンテンツを含むソフトウェアを記録した第１の記録媒体から、ソフトウェアを取得するソフトウェア読み取り処理と、第１の記録媒体に記録されたソフトウェアにおいてブロック毎に施された処理制限の、解除に必要な処理許可情報を、通信網を介してソフトウェア管理者が運営するサーバから取得するサーバ許可情報取得処理と、ソフトウェア読み取り処理が第１の記録媒体から取得したソフトウェアにおいてブロック毎に施された処理制限を、サーバ許可情報取得処理を介してサーバから取得した処理許可情報を用いて解除する処理制限解除処理とを含むことを特徴とする。
【手続補正６】
【補正対象書類名】明細書
【補正対象項目名】００２４
【補正方法】変更
【補正の内容】
【００２４】
請求項２０に記載の発明は、ソフトウェア処理方法において、複数のブロックに区別され、それぞれのブロックに対して処理制限が施されたコンピュータ・プログラムやディジタル情報化されたコンテンツを含むソフトウェアを記録した第１の記録媒体から、ソフトウェアを取得するソフトウェア読み取り処理と、第１の記録媒体に記録されたソフトウェアにおいてブロック毎に施された処理制限の、解除に必要な処理許可情報を、通信網を介してソフトウェア管理者が運営するサーバから取得するサーバ許可情報取得処理と、サーバ許可情報取得処理を介してサーバから処理許可情報を取得できなかった場合、処理許可情報を、記録内容の複写・改ざん防止機能を備えた第２の記録媒体から取得する代替媒体許可情報取得処理と、ソフトウェア読み取り処理が第１の記録媒体から取得したソフトウェアにおいてブロック毎に施された処理制限を、サーバ許可情報取得処理を介してサーバから取得した処理許可情報か、または代替媒体許可情報取得処理を介して第２の記録媒体から取得した処理許可情報を用いて解除する処理制限解除処理とを含むことを特徴とする。
【手続補正７】
【補正対象書類名】明細書
【補正対象項目名】００２６
【補正方法】変更
【補正の内容】
【００２６】
請求項２２に記載の発明は、複数のブロックに区別され、それぞれのブロックに対して処理制限が施されたコンピュータ・プログラムやディジタル情報化されたコンテンツを含むソフトウェアを記録した第１の記録媒体から、ソフトウェアを取得するソフトウェア読み取り手段と、第１の記録媒体に記録されたソフトウェアにおいてブロック毎に施された処理制限の、解除に必要な処理許可情報を、通信網を介してソフトウェア管理者が運営するサーバから取得するサーバ許可情報取得手段とを備えた装置のソフトウェア処理をコンピュータに実行させるためのプログラムであって、ソフトウェア読み取り手段が第１の記録媒体から取得したソフトウェアにおいてブロック毎に施された処理制限を、サーバ許可情報取得手段を介してサーバから取得した処理許可情報を用いて解除する処理制限解除処理をコンピュータに実行させることを特徴とする。
【手続補正８】
【補正対象書類名】明細書
【補正対象項目名】００２８
【補正方法】変更
【補正の内容】
【００２８】
請求項２４に記載の発明は、複数のブロックに区別され、それぞれのブロックに対して処理制限が施されたコンピュータ・プログラムやディジタル情報化されたコンテンツを含むソフトウェアを記録した第１の記録媒体から、ソフトウェアを取得するソフトウェア読み取り手段と、第１の記録媒体に記録されたソフトウェアにおいてブロック毎に施された処理制限の、解除に必要な処理許可情報を、通信網を介してソフトウェア管理者が運営するサーバから取得するサーバ許可情報取得手段とを備えた装置のソフトウェア処理をコンピュータに実行させるためのプログラムであって、サーバ許可情報取得手段を介してサーバから処理許可情報を取得できなかった場合、処理許可情報を、記録内容の複写・改ざん防止機能を備えた第２の記録媒体から取得する代替媒体許可情報取得処理と、ソフトウェア読み取り手段が第１の記録媒体から取得したソフトウェアにおいてブロック毎に施された処理制限を、サーバ許可情報取得手段を介してサーバから取得した処理許可情報か、または代替媒体許可情報取得処理を介して第２の記録媒体から取得した処理許可情報を用いて解除する処理制限解除処理とをコンピュータに実行させることを特徴とする。